(57)【要約】【課題】波状基体を不用意に長手方向に沿って伸長してしまうことを防止できる閉塞部材を提供する。【解決手段】閉塞部材１は、波進行方向Ａが長手方向に一致する断面略波形状をなす伸長可能な帯状の波状基体６を備える。波状基体６の裏面に粘着テープ体７を取り付け、この粘着テープ体７に剥離シート体を剥離可能に取り付ける。波状基体６の裏面に、波状基体６がこの波状基体６の長手方向に沿って伸長することを規制する帯状の伸長規制体９を波状基体６の長手方向に沿って取り付ける。【選択図】図１
2007262668.tif 000002
【特許請求の範囲】
【請求項１】
第１部材と第２部材との間の空間部を閉塞する可撓性の閉塞部材であって、
波進行方向が長手方向に一致する断面略波形状をなす伸長可能な帯状の波状基体と、
この波状基体に取り付けられ、前記波状基体を前記第１部材および前記第２部材に対して固定するための粘着体と、
この粘着体に剥離可能に取り付けられた剥離シート体と、
前記波状基体にこの波状基体の長手方向に沿って取り付けられ、前記波状基体がこの波状基体の長手方向に沿って伸長することを規制する長手状の伸長規制体と
を備えることを特徴とする閉塞部材。
【請求項２】
波状基体は、
この波状基体の幅方向一方側に位置し、第１部材に粘着体を介して固定される第１波状部と、
前記波状基体の幅方向他方側に位置し、第２部材に前記粘着体を介して固定される第２波状部と、
前記第１波状部と前記第２波状部との間に位置する折曲部とを有し、
伸長規制体は、前記折曲部にこの折曲部に沿って取り付けられている
ことを特徴とする請求項１記載の閉塞部材。
【請求項３】
伸長規制体は、幅寸法が波状基体の折曲部の幅寸法より大きい帯状部材にて構成されている
ことを特徴とする請求項２記載の閉塞部材。
【請求項４】
伸長規制体は、波状基体と粘着体との間に配設されている
ことを特徴とする請求項１ないし３のいずれか一記載の閉塞部材。
【発明の詳細な説明】
【技術分野】
【０００１】
本発明は、波状基体を不用意に長手方向に沿って伸長してしまうことを防止でき、第１部材と第２部材との間の空間部を簡単かつ適切に閉塞することができる閉塞部材に関するものである。
【背景技術】
【０００２】
従来、第１部材と第２部材との間の空間部を閉塞する可撓性の閉塞部材として、例えば波進行方向が長手方向に一致する断面略波形状をなす伸長可能な帯状の波状基体と、波状基体の裏面に取り付けられ波状基体を第１部材および第２部材に対して固定するための伸長可能な粘着テープ体と、粘着テープ体に剥離可能に取り付けられた剥離シート体とを備える気密部材が知られている（例えば、特許文献１参照）。
【特許文献１】特許２７３８９２４号公報（第５頁、図１６）
【発明の開示】
【発明が解決しようとする課題】
【０００３】
しかしながら、上記従来の閉塞部材（気密部材）では、剥離シート体を剥離した後に、波状基体を不用意に長手方向に沿って伸長してしまうことがあり、一度伸長してしまった波状基体をもとの形状に戻すには非常に手間がかかるという問題がある。
【０００４】
本発明は、このような点に鑑みなされたもので、波状基体を不用意に長手方向に沿って伸長してしまうことを防止でき、第１部材と第２部材との間の空間部を簡単かつ適切に閉塞することができる閉塞部材を提供することを目的とする。
【課題を解決するための手段】
【０００５】
請求項１記載の閉塞部材は、第１部材と第２部材との間の空間部を閉塞する可撓性の閉塞部材であって、波進行方向が長手方向に一致する断面略波形状をなす伸長可能な帯状の波状基体と、この波状基体に取り付けられ、前記波状基体を前記第１部材および前記第２部材に対して固定するための粘着体と、この粘着体に剥離可能に取り付けられた剥離シート体と、前記波状基体にこの波状基体の長手方向に沿って取り付けられ、前記波状基体がこの波状基体の長手方向に沿って伸長することを規制する長手状の伸長規制体とを備えるものである。
【０００６】
請求項２記載の閉塞部材は、請求項１記載の閉塞部材において、波状基体は、この波状基体の幅方向一方側に位置し、第１部材に粘着体を介して固定される第１波状部と、前記波状基体の幅方向他方側に位置し、第２部材に前記粘着体を介して固定される第２波状部と、前記第１波状部と前記第２波状部との間に位置する折曲部とを有し、伸長規制体は、前記折曲部にこの折曲部に沿って取り付けられているものである。
【０００７】
請求項３記載の閉塞部材は、請求項２記載の閉塞部材において、伸長規制体は、幅寸法が波状基体の折曲部の幅寸法より大きい帯状部材にて構成されているものである。
【０００８】
請求項４記載の閉塞部材は、請求項１ないし３のいずれか一記載の閉塞部材において、伸長規制体は、波状基体と粘着体との間に配設されているものである。
【発明の効果】
【０００９】
請求項１に係る発明によれば、波状基体にこの波状基体の長手方向に沿って取り付けられ波状基体がこの波状基体の長手方向に沿って伸長することを規制する長手状の伸長規制体を備えるため、波状基体を不用意に長手方向に沿って伸長してしまうことを防止でき、第１部材と第２部材との間の空間部を簡単かつ適切に閉塞することができる。
【００１０】
請求項２に係る発明によれば、波状基体を折曲部で容易に折り曲げることができるとともに、折曲部にこの折曲部に沿って取り付けた伸長規制体によって波状基体が長手方向に沿って伸長することを適切に規制できる。
【００１１】
請求項３に係る発明によれば、伸長規制体は、幅寸法が波状基体の折曲部の幅寸法より大きい帯状部材にて構成されているため、帯状の伸長規制体によって波状基体が長手方向に沿って伸長することを確実に規制できる。
【００１２】
請求項４に係る発明によれば、伸長規制体は、波状基体と粘着体との間に配設されているため、粘着体にて伸長規制体の保護を図ることができる。
【発明を実施するための最良の形態】
【００１３】
本発明の閉塞部材の一実施の形態を図面を参照して説明する。
【００１４】
図１ないし図４において、１は可撓性を有するテープ状の閉塞部材（防水気密テープ等の気密部材）で、この閉塞部材１は、第１部材３と第２部材４との間の空間部５を液密かつ気密に閉塞するものである（図６ないし図８参照）。
【００１５】
第１部材３は、例えば住宅の外壁部を構成する断面凸凹状の壁部材で、垂直面に沿った凸凹面3aを有している。第２部材４は、例えば住宅に付設された車庫の屋根部を構成する屋根部材で、水平面に沿った平坦面4aを有している。そして、図６に示すように、第１部材３の凸凹面3aに第２部材４の平坦面4aが連設され、第１部材３の凸凹面3aと第２部材４の平坦面4aとの間には複数の空間部５が形成される。
【００１６】
閉塞部材１は、図１ないし図４に示すように、波進行方向Ａが長手方向に一致する断面略波形状をなす伸長可能な帯状の金属製の波状基体６と、波状基体６の裏面にこの裏面略全体を覆うように取り付けられ波状基体６を第１部材３の凸凹面3aおよび第２部材４の平坦面4aに対して固定するための伸長可能なゴム製の粘着テープ体（粘着体）７と、粘着テープ体７に剥離可能に取り付けられた伸長不可能な紙製の剥離シート体８と、波状基体６の裏面の幅方向中間部、例えば幅方向略中央部にこの波状基体６の長手方向（波進行方向Ａ）に沿って取り付けられ波状基体６がこの波状基体６の長手方向に沿って伸長することを規制する長手状（線状または帯状）の伸長不可能な金属製の伸長規制体（支持体）９とを備えている。
【００１７】
波状基体６は、アルミニウム箔或いはステンレス箔等の金属薄板をその断面形状が図５に示す略波形状をなすように波状に折り曲げ加工等して形成したものである。
【００１８】
波状基体６は、波状基体６の幅方向一方側略半部に位置し第１部材３の垂直な凸凹面3aに粘着テープ体７を介して密着固定される第１波状部11と、波状基体６の幅方向他方側略半部に位置し第２部材４の水平な平坦面4aに粘着テープ体７を介して密着固定される第２波状部12と、第１波状部11と第２波状部12との間で波状基体６の幅方向略中央に位置する折り曲げ可能な細長状の折曲部13とを有している。
【００１９】
第１波状部11および第２波状部12は、いずれも、図５に示すように、表面側曲面部分16と、裏面側曲面部分17と、これら表面側曲面部分16と裏面側曲面部分17とを結ぶ第１平面部分18および第２平面部分19とを有している。そして、第１波状部11および第２波状部12は、曲面部分16，17を平面状に変形させることにより伸長可能となっている。
【００２０】
折曲部13は、波状基体６の一部がローラ等による押圧により略平板状にされた部分で、波状基体６の長手方向に沿った平行な２本の折曲線20を有している。そして、波状基体６は、折曲部13でこの折曲線20に沿って容易に折り曲げ可能となっている。
【００２１】
粘着テープ体７は、軟質なゴム板材の表裏面に粘着剤を塗布したものであり、この粘着テープ体７の幅寸法は波状基体６の幅寸法より若干小さくなっている。
【００２２】
剥離シート体８は、粘着テープ体７の全体を覆うように粘着テープ体７に剥離可能に貼り付けられており、この剥離シート体８の幅寸法は粘着テープ体７の幅寸法と略同じである。剥離シート体８の幅方向中央には切込線21が形成され、この切込線21によって剥離シート体８が第１剥離シート部8aと第２剥離シート部8bとに分割されている。
【００２３】
伸長規制体９は、幅寸法が波状基体６の折曲部13の幅寸法より大きい伸長不可能な帯状部材23にて構成されている。帯状部材23は、例えばアルミニウム箔或いはステンレス箔等の金属薄板からなり、帯状部材23の幅寸法は波状基体６の折曲部13の幅寸法の約３倍程度である。
【００２４】
そして、伸長規制体９は、波状基体６の略平板状の折曲部13の裏面にこの裏面全体を覆うようにこの折曲部13に沿って粘着剤にて固着され、波状基体６と粘着テープ体７との間にこれら波状基体６と粘着テープ体７とで挟持された状態で配設されている。伸長規制体９の少なくとも一部は略平板状の折曲部13の裏面に面状に接触して粘着剤にて強固に固着されており、この伸長規制体９によって波状基体６がその長手方向に沿って伸長できないようになっている。
【００２５】
次に、上記閉塞部材１の作用等を説明する。
【００２６】
図６に示すように、住宅の外壁部を構成する第１部材３の凸凹面3aと住宅に付設された車庫の屋根部を構成する第２部材４の平坦面4aとの間に形成された複数の空間部５を、閉塞部材１を用いて液密かつ気密に閉塞する場合、まず、第２剥離シート部8bを粘着テープ体７から剥離した後、図７に示すように、波状基体６を折曲部13で略直角に折り曲げながら、波状基体６の第２波状部12を第２部材４の平坦面4aに粘着テープ体７を介して密着固定する。
【００２７】
次いで、第１剥離シート部8aを粘着テープ体７から剥離した後、図８に示すように、波状基体６の第１波状部11を空間部５に対応させて伸長させながら、この第１波状部11を第１部材３の凸凹面3aに粘着テープ体７を介して密着固定する。
【００２８】
この結果、第１波状部11のうち凸凹面3aに追従するように伸長した伸長部分11aにて、第１部材３と第２部材４との間の空間部５が閉塞される。
【００２９】
そして、このような閉塞部材１によれば、波状基体６がこの波状基体６の長手方向に沿って伸長することを規制する帯状部材23からなる伸長規制体９を備えるため、例えば剥離シート体８を粘着テープ体７から剥離した後に、作業者が波状基体６を不用意に長手方向に沿って伸長してしまうことを確実に防止でき、よって、第１部材３と第２部材４との間の空間部５を簡単かつ適切に閉塞することができる。
【００３０】
また、波状基体６を折曲部13で容易に折り曲げることができるとともに、その折曲部13の裏面にこの折曲部13に沿って取り付けた帯状の伸長規制体９によって波状基体６がその長手方向に沿って伸長することを確実に規制できる。
【００３１】
さらに、伸長規制体９は、波状基体６の裏面に貼着されて波状基体６と粘着テープ体７との間に配設されているため、粘着テープ体７にて伸長規制体９の保護を図ることができる。
【００３２】
また、波状基体６がアルミニウム箔等の金属薄板からなるため、第１部材３と第２部材４との間の空間部５を閉塞すると同時に、第１部材３および第２部材４の補強となる。
【００３３】
なお、上記実施の形態では、閉塞部材１を用いて、住宅の外壁部の凸凹面3aと車庫の屋根部の平坦面4aとの間の空間部５を閉塞する場合について説明したが、例えば電気、ガス、水道或いはエアコン等の配線や配管施工の際等に生じる第１部材と第２部材との間の空間部を閉塞する場合にも適用できる。
【００３４】
また、波状基体６の伸長を規制する長手状の伸長規制体９は、金属箔等の帯状部材23にて構成されたものには限定されず、例えば金属線等の線状部材にて構成されたもの等でもよい。
【００３５】
さらに、波状基体６や伸長規制体９は、金属以外に、合成樹脂等にて形成したものでもよい。
【００３６】
また、伸長規制体９を波状基体６の裏面に取り付けた構成には限定されず、伸長規制体９を波状基体６の表面に取り付けた構成でもよく、また伸長規制体９を波状基体６の幅方向略中央部よりずれた位置に取り付けた構成等でもよく、さらに伸長規制体９の本数も任意である。
【００３７】
さらに、剥離シート体８は、第１剥離シート部8aと第２剥離シート部8bとに分割されたものには限定されず、例えば１枚状のものや、３つ以上に分割したもの等でもよい。
【００３８】
また、第１波状部11や第２波状部12の波形状は、表面側曲面部分16、裏面側曲面部分17、第１平面部分18および第２平面部分19を有する形状には限定されず、例えば曲面部分のみからなる形状や、曲面部分を有しないジグザグ形状等でもよい。
【００３９】
さらに、粘着テープ体７等の粘着体を波状基体６の裏面にこの裏面略全体を覆うように取り付けた構成には限定されず、例えば粘着体を波状基体６の裏面のうち伸長規制体９が取り付けられた以外の部分に取り付けるようにしてもよい。
【図面の簡単な説明】
【００４０】
【図１】本発明の一実施の形態に係る閉塞部材の斜視図である。
【図２】同上閉塞部材の平面図である。
【図３】同上閉塞部材の底面図である。
【図４】同上閉塞部材の側面図である。
【図５】同上閉塞部材の波状基体の拡大断面図である
【図６】同上閉塞部材で閉塞する空間部を示す斜視図である。
【図７】同上閉塞部材の第１波状部を伸長する前の状態の斜視図である。
【図８】同上閉塞部材の第１波状部を伸長した後の状態の斜視図である。
【符号の説明】
【００４１】
１    閉塞部材
３    第１部材
４    第２部材
５    空間部
６    波状基体
７    粘着体である粘着テープ体
８    剥離シート体
９    伸長規制体
11    第１波状部
12    第２波状部
13    折曲部
23    帯状部材
Ａ    波進行方向
【図１】
2007262668.tif 000003
【図２】
2007262668.tif 000004
【図３】
2007262668.tif 000005
【図４】
2007262668.tif 000006
【図５】
2007262668.tif 000007
【図６】
2007262668.tif 000008
【図７】
2007262668.tif 000009
【図８】
2007262668.tif 000010